(57)【特許請求の範囲】
【請求項１】
据付け台（Ｆ）のトップ面（１０）に取り付けられたメダル収容用ホッパータンク（Ｈ）と、
そのホッパータンク（Ｈ）から落下するメダル（Ｃ）を取り込む複数のメダル取り込み穴（３５）と、そのメダル取り込み穴（３５）の隣り合う相互間から裏向きに突出する複数の円弧弯曲羽根（３６）とが、全体的な放射対称分布型に形成されたメダル搬送用穴明き回転ディスク（Ｒ）と、
上記トップ面（１０）の裏面に固定支持された穴明き回転ディスク用駆動モーター（１５）と、
同じくトップ面（１０）の裏側から表面に突出して、メダル（Ｃ）を一旦受け止めつつ、そのトップ面（１０）のメダル送出口（２７）へ誘導するメダル変向誘導ピン（３２）と、
上記トップ面（１０）のメダル送出口（２７）へ後上方から連通接続されるメダル搬送路（Ｐ１）とを備え、
上記ホッパータンク（Ｈ）からメダル取り込み穴（３５）へ取り込んだメダル（Ｃ）を、その回転ディスク（Ｒ）の円弧弯曲羽根（３６）により押し進め搬送して、上記メダル変向誘導ピン（３２）によりメダル送出口（２７）からメダル搬送路（Ｐ１）を経て、遊技機やメダル貸出し機、両替機、その他の各種本機（Ｍ）に開口するメダル出口（５９）まで、順次送り出すホッパー型メダル送出装置において、
上記メダル搬送路（Ｐ１）とその上方へ継ぎ足し状態に連通接続される延長メダル搬送路（Ｐ２）とを、何れも細長い帯板状の表ガイドレール（４３）と裏ガイドレール（４４）とから、その向かい合う相互間にメダル通行トンネル（４５）を区画形成するように組付け、
そのメダル搬送路（Ｐ１）における裏ガイドレール（４４）の基端部から差込み舌片（５１）を張り出す一方、同じくメダル搬送路（Ｐ１）における裏ガイドレール（４４）の先端部から接続舌片（５５）を表ガイドレール（４３）よりも長く張り出すと共に、
その接続舌片（５５）との逆に短く退避され且つ別個な裏カバー片（５６）の付属一体化によって、上記延長メダル搬送路（Ｐ２）における裏ガイドレール（４４）の基端部に差込みスリット（５７）を区画形成し、
上記据付け台（Ｆ）のトップ面（１０）を高低差がある左右一対の平行なスタンド（１１）（１２）により支持して、一定角度（α）の後上がり傾斜状態になるのみならず、一定角度（γ）の横上がり傾斜状態にもなる２次元での傾斜面に保ち、
上記メダル搬送路（Ｐ１）の差込み舌片（５１）を上記据付け台（Ｆ）のトップ面（１０）に対応形成されたメダル搬送路用受け入れ凹欠（１９）へ、後上方から差し込んで、そのトップ面（１０）へ取り付け固定することにより、そのトップ面（１０）のメダル送出口（２７）と連通接続したメダル搬送路（Ｐ１）のメダル通行トンネル（４５）が、
そのメダル導入口（４５ａ）からメダル導出口（４５ｂ）までメダル（Ｃ）を一旦垂直の真上方向へ押し上げ搬送するために一定角度（β１）だけ円弧状に屈曲する屈曲部（５４）を、上記メダル搬送路（Ｐ１）における長手中心線（Ｏ−Ｏ）の支点廻りに回転する如く、９０度未満の一定角度（θ）だけ捻り形成することにより、
上記メダル通行トンネル（４５）のメダル導出口（４５ｂ）を平面から見て、左右方向に沿い延在する横長の開口状態、前後方向に沿い延在する縦長の開口状態又は斜め方向に沿い延在する開口状態として、その方角を変化させ、
上記メダル搬送路（Ｐ１）における裏ガイドレール（４４）の表ガイドレール（４３）よりも長く張り出す接続舌片（５５）へ、途中がメダル搬送路（Ｐ１）のメダル導出口（４５ｂ）と同一平面での任意角度（β２）だけ屈曲する屈曲部（６０）を備えた延長メダル搬送路（Ｐ２）における裏ガイドレール（４４）の差込みスリット（５７）を、上方から差し込み固定することにより、その延長メダル搬送路（Ｐ２）を上記メダル搬送路（Ｐ１）における方角の変化したメダル導出口（４５ｂ）へ、継ぎ足し状態に連通接続したことを特徴とするホッパー型メダル送出装置のメダル捻り搬送機構。
【発明の詳細な説明】
【技術分野】
【０００１】
本発明はメダルを使用する遊技機やメダルの貸出し機、両替機、釣り銭機などの各種本機に内蔵設置されるホッパー型メダル送出装置のメダル捻り搬送機構に係り、殊更そのメダル送出装置の送出口から本機の希望する出口方向へ制約なく、しかもメダルを目詰まりのおそれなく搬送できるように工夫したものである。
【背景技術】
【０００２】
この種のホッパー型メダル送出装置では図２５、２６に示す如く、水平な据付け面（Ｇ）と一定角度（α）の後上がり傾斜設置状態にある穴明き回転ディスク（１）により、そのホッパータンク（２）から受け入れたメダル（Ｃ）を、斜め上方へ１枚づつ順次送り出し、その送出口（３）に接続一体化されたメダル搬送路（Ｐ１）の一定角度（β１）だけ屈曲する屈曲部（４）を経て、一旦垂直の真上方向へメダル（Ｃ）を押し上げ搬送し、引き続き途中に同一平面での一定角度（β２）だけ屈曲する屈曲部（５）を備えた延長メダル搬送路（Ｐ２）により、本機（Ｍ）の出口（６）までメダル（Ｃ）を押し進め搬送するようになっている通例である。
【０００３】
ところが、上記メダル送出装置の送出口（３）から立ち上がるメダル搬送路（Ｐ１）は、その屈曲部（４）よりも上流側（下側）と下流側（上側）との異なる平面にあるため、例えばメダル（Ｃ）の周縁部が摩耗によって丸味を帯びていたり、或いはメダル（Ｃ）自身が歪み変形していたりすると、その屈曲部（４）において隣り合うメダル（Ｃ）同士が部分的に重なる瓦の如く、その一方の潜り込みと他方の乗り上げを生じ、メダル搬送路（Ｐ１）の内部に目詰まりしてしまうのである。
【０００４】
その結果、上記メダル搬送路（Ｐ１）の屈曲部（４）を余裕がある大きな曲率半径として緩やかに屈曲形成しなければならず、それだけメダル搬送路（Ｐ１）がいたづらに長距離となる。
【０００５】
又、延長メダル搬送路（Ｐ２）の屈曲部（５）として例示したように、その上流側と下流側とが同一平面にあれば、屈曲部（５）を比較的小さな曲率半径での鋭く屈曲形成することができ、上記メダル（Ｃ）の目詰まりを生じ難い利点がある反面、本機（Ｍ）への配列設置上制約を受けやすく、その本機（Ｍ）のメダル出口（６）を希望する位置や方向性に開口形成することが困難となる。
【０００６】
上記した屈曲部（４）におけるメダル（Ｃ）の目詰まりを防ぐために、そのメダル搬送路（Ｐ１）に捻りを与える技術的手段として、下記の特許文献が既に提案されている。
【特許文献１】実開平３−９６８７８号公報
【特許文献２】特表２０００−５００２６０号公報
【特許文献３】特開２００４−１１８３１６号公報
【特許文献４】特開２００５−１４９１９１号公報
【発明の開示】
【発明が解決しようとする課題】
【０００７】
しかし、上記特開２００４−１１８３１６号公報に開示のメダル払出し装置について言えば、そのホッパー本体（５９）の傾斜面（６８）は図７のような横方向（側面）から見た場合にのみ、一定角度の後上がり傾斜状態にあり、その意味から１次元での単純な傾斜面（６８）をなすに過ぎない。
【０００８】
そのため、ホッパー本体（５９）のメダル払出し口からメダル（１１）を一旦押し上げるまでの限られた一定距離分において、メダル移送路（３０）を図１、２のような一挙に９０度という大きい角度での螺旋状に捻り形成しなければ、そのメダル移送路（３０）のメダル送出口（３２）を前後方向に沿い開口する縦長状態として、左右方向に沿い開口する横長状態のメダル送入口（３１）と直交させることができず、メダル（１１）を円滑に搬送する必要上、特別な基端側当接案内片（３６）並びに先端側当接案内片（３７）も不可欠となる。
【０００９】
又、上記メダル移送路（３０）の移送通路本体（７１）を上記した一定距離分に及ぶストレートな円柱状のものから作成しているため、これを図７のような横方向から見て、そのメダル送出口（３２）が真上向きとなる滑らかな円弧形に屈曲させることができず、上記ホッパー本体（５９）の傾斜面（６８）をその傾斜角度のままで延長する単純なストレート形に保つほかはなく、著しい制約を受けるのである。
【００１０】
他方、上記特開２００５−１４９１９１号公報に開示のコイン搬送装置について言えば、そのコイン通路体（Ｂ）は図２のような横方向（側面）から見て、円弧形に屈曲しているが、これでもコインホッパー（Ａ）の傾斜面はやはり横方向（側面）から見た場合に限って、一定角度の後上がり傾斜状態にあり、言わば１次元での単純な傾斜面を呈していることに変りがない。
【００１１】
しかも、上記コイン通路体（Ｂ）を第１通路構成体（２）の捻じれたコイン摺動面（４）と、第２通路構成体（３）の捻じれたコイン摺動面（５）との組み合わせにより、そのコイン入口（６）側の前半部においてコイン（ＣＮ）を９０度だけ変向し、コイン出口（７）側の後半部においてコイン（ＣＮ）を引き続き９０度だけ変向して、合計１８０度だけ表裏反転させるようになっているため、ボール（１２）とその押圧付勢用コイルスプリング（１３）とから成る特別なコイン姿勢変更手段（１１）が不可欠であり、甚だ複雑・特殊化することになる。
【課題を解決するための手段】
【００１２】
本発明はこのような諸問題の改良を目的としており、その目的を達成するために、請求項１では据付け台のトップ面に取り付けられたメダル収容用ホッパータンクと、
【００１３】
そのホッパータンクから落下するメダルを取り込む複数のメダル取り込み穴と、そのメダル取り込み穴の隣り合う相互間から裏向きに突出する複数の円弧弯曲羽根とが、全体的な放射対称分布型に形成されたメダル搬送用穴明き回転ディスクと、
【００１４】
上記トップ面の裏面に固定支持された穴明き回転ディスク用駆動モーターと、
【００１５】
同じくトップ面の裏側から表面に突出して、メダルを一旦受け止めつつ、そのトップ面のメダル送出口へ誘導するメダル変向誘導ピンと、
【００１６】
上記トップ面のメダル送出口へ後上方から連通接続されるメダル搬送路とを備え、
【００１７】
上記ホッパータンクからメダル取り込み穴へ取り込んだメダルを、その回転ディスクの円弧弯曲羽根により押し進め搬送して、上記メダル変向誘導ピンによりメダル送出口からメダル搬送路を経て、遊技機やメダル貸出し機、両替機、その他の各種本機に開口するメダル出口まで、順次送り出すホッパー型メダル送出装置において、
【００１８】
上記メダル搬送路とその上方へ継ぎ足し状態に連通接続される延長メダル搬送路とを、何れも細長い帯板状の表ガイドレールと裏ガイドレールとから、その向かい合う相互間にメダル通行トンネルを区画形成するように組付け、
【００１９】
そのメダル搬送路における裏ガイドレールの基端部から差込み舌片を張り出す一方、同じくメダル搬送路における裏ガイドレールの先端部から接続舌片を表ガイドレールよりも長く張り出すと共に、
【００２０】
その接続舌片との逆に短く退避され且つ別個な裏カバー片の付属一体化によって、上記延長メダル搬送路における裏ガイドレールの基端部に差込みスリットを区画形成し、
【００２１】
上記据付け台のトップ面を高低差がある左右一対の平行なスタンドにより支持して、一定角度の後上がり傾斜状態になるのみならず、一定角度の横上がり傾斜状態にもなる２次元での傾斜面に保ち、
【００２２】
上記メダル搬送路の差込み舌片を上記据付け台のトップ面に対応形成されたメダル搬送路用受け入れ凹欠へ、後上方から差し込んで、そのトップ面へ取り付け固定することにより、そのトップ面のメダル送出口と連通接続したメダル搬送路のメダル通行トンネルが、
【００２３】
そのメダル導入口からメダル導出口までメダルを一旦垂直の真上方向へ押し上げ搬送するために一定角度だけ円弧状に屈曲する屈曲部を、上記メダル搬送路における長手中心線の支点廻りに回転する如く、９０度未満の一定角度だけ捻り形成することにより、
【００２４】
上記メダル通行トンネルのメダル導出口を平面から見て、左右方向に沿い延在する横長の開口状態、前後方向に沿い延在する縦長の開口状態又は斜め方向に沿い延在する開口状態として、その方角を変化させ、
【００２５】
上記メダル搬送路における裏ガイドレールの表ガイドレールよりも長く張り出す接続舌片へ、途中がメダル搬送路のメダル導出口と同一平面での任意角度だけ屈曲する屈曲部を備えた延長メダル搬送路における裏ガイドレールの差込みスリットを、上方から差し込み固定することにより、その延長メダル搬送路を上記メダル搬送路における方角の変化したメダル導出口へ、継ぎ足し状態に連通接続したことを特徴とする。
【発明の効果】
【００２６】
請求項１の上記構成によれば、ホッパー型メダル送出装置における据付け台のトップ面が一定角度の後上がり傾斜状態にあるのみならず、一定角度の横上がり傾斜状態にもあって、２次元での傾斜面をなすように設置されているため、メダル搬送路におけるメダル通行トンネルの導出口を平面から見て、左右方向に沿い延在する横長の開口状態、前後方向に沿い延在する縦長の開口状態又は斜め方向に沿い延在する開口状態との何れの方角に保つ場合でも、上記メダル搬送路をその長手中心線の支点廻りに９０度未満の小角度に捻り形成すれば足りることとなる。
【００２７】
その結果、冒頭に述べた２種の公知発明と比較して、そのメダル搬送路を著しく容易に製作・加工することができるばかりでなく、これに沿ってメダルを緩やかに捻る如く搬送し得るのであり、その内部での目詰まりや咬み込みを生じるおそれもない。
【００２８】
又、上記メダル搬送路におけるメダル通行トンネルの導出口は平面から見て、左右方向に沿い延在する横長の開口状態、前後方向に沿い延在する縦長の開口状態又は斜め方向に沿い延在する開口状態として、その方角が変化されているため、図２３や図２４に示す如く、途中がこのようなメダル導出口と同一平面での任意角度だけ屈曲する屈曲部を備えた延長メダル搬送路を、上方から継ぎ足し状態に連通接続することにより、本発明に係るホッパー型メダル送出装置が内蔵設置される遊技機やメダル貸出し機、両替機、その他の各種本機に開口するメダル出口を対応的に変化させることができる。
【００２９】
上記延長メダル搬送路の継ぎ足し個数やその屈曲部における任意角度の選定により、そのホッパー型メダル送出装置を基準として、メダルを図２３に示すような左方向又は右方向や、図２４に示すような前方又は後方へ搬送すべく、本機のメダル出口を希望する位置と方向性に開口させることが容易となり、その本機への配列設置（レイアウト）上制約を受け難い効果も得られるのである。
【発明を実施するための最良の形態】
【００３０】
以下、図面に基いて本発明の具体的構成を詳述すると、そのホッパー型メダル送出装置を示した図１〜３において、（Ｆ）はトップ面（１０）と左右一対のスタンド（１１）（１２）とから枠組み一体化された金属製の据付け台であるが、その両スタンド（１１）（１２）の上端部が高低差のある平行な後上がり傾斜面とされることにより、これに支持された上記トップ面（１０）が図１や図１１のような前方（正面）から見て、一定角度（γ）（例えば約３０度）だけ横上がりの傾斜状態にあると同時に、図２や図１０のような横方向（側面）から見て、一定角度（α）（例えば約３０度）だけ後上がりの傾斜状態にある。
【００３１】
その意味から上記据付け台（Ｆ）のトップ面（１０）は、２次元での複雑な傾斜面をなしており、従ってここに設置されるメダル搬送用穴明き回転ディスク（Ｒ）も、これと同じ傾斜姿勢状態になる。（１３）はこのようなトップ面（１０）の角隅部を両スタンド（１１）（１２）の上端部へ取り付ける複数の固定ビス、（１４）は両スタンド（１１）（１２）の左右相互間に固定横架された所要数の水平なディスタンスバーであり、図例では金属杆から成るが、金属板から成ることもあり得る。
【００３２】
尚、図示の実施形態では据付け台（Ｆ）をトップ面（天板）（１０）とスタンド（脚板）（１１）（１２）とから組み立てているが、そのトップ面（１０）が２次元での傾斜面をなす限り、上記据付け台（Ｆ）を金属材と同じ高強度な合成樹脂材から一体成形しても良い。
【００３３】
（１５）は穴明き回転ディスク用駆動モーターであって、その取付フランジ（１６）が上記トップ面（１０）のほぼ中央部へ裏側から接合された上、表側から複数の皿ビス（１７）によってトップ面（１０）へ固定されている。（１８）はそのトップ面（１０）を貫通するモーター出力軸であり、これに表側から嵌め付けられたメダル搬送用穴明き回転ディスク（Ｒ）が、図１〜３や図１０、１１の矢印方向（Ａ）へ回転駆動されるようになっている。
【００３４】
（１９）は上記据付け台（Ｆ）を形作るトップ面（１０）の後上端部に、上向き開放するＵ字形として切り込まれたメダル搬送路用受け入れ凹欠、（２０）（２１）はその受け入れ凹欠（１９）の内奥端部を挟む位置関係として並列されたメダルガイド板とセパレートアームであり、そのメダルガイド板（２０）は上記トップ面（１０）の表面へ、固定ビス（２２）によって取り付け一体化されている。
【００３５】
これに比し、セパレートアーム（２１）はトップ面（１０）の裏側にあって、その基端部が支点軸（２３）によりトップ面（１０）へ揺動自在に枢着されており、その中間部に軸支された遊転可能なセパレートローラー（２４）が、上記トップ面（１０）に切り欠かれた揺動ガイド長穴（２５）を通じて、そのトップ面（１０）の表面へ張り出し露呈している。（２６）は上記セパレートアーム（２１）の自由な先端部をなす被検知片である。
【００３６】
そして、上記セパレートローラー（２４）とメダルガイド板（２０）との向かい合う左右相互間が、ホッパー型メダル送出装置のメダル送出口（２７）として画定されている。（Ｗ）はそのメダル送出口（２７）の開口幅、（２８）はセパレートアーム（２１）の中間部とトップ面（１０）の裏面に掛架された引張りコイルバネであり、そのセパレートローラー（２４）をメダルガイド板（２０）と接近する方向へ弾圧付勢している。
【００３７】
（２９）は上記トップ面（１０）に取り付けられたメダル咬み込み現象の検知センサーであって、好ましくはフォトインタラプターから成り、万一上記メダル送出口（２７）にメダル（Ｃ）を咬み込んだ時には、これに応じて大きく揺動する被検知片（２６）を検知し、上記穴明き回転ディスク（Ｒ）の駆動モーター（１５）を逆回転させて、その咬み込み現象を自づと解消する。
【００３８】
又、（３０）は上記メダル送出口（２７）の上流側（下側）に位置しつつ、トップ面（１０）の裏面に取り付け固定された二又状の板バネであり、その自由な先端部が穴明き回転ディスク（Ｒ）の逆回転時におけるメダル乗り越え誘導片（３１）の一対として、ほぼ三角形に曲げ起されていると共に、その頂点部に隣接する円錐形のメダル変向誘導ピン（３２）も一対として、板バネ（３０）の先端部に植え付けられている。
【００３９】
このようなメダル変向誘導ピン（３２）とメダル乗り越え誘導片（３１）は、据付け台（Ｆ）のトップ面（１０）に対応形成された出没穴（３３）を通じて、そのトップ面（１０）の表面に突出しており、上記穴明き回転ディスク（Ｒ）の回転（正回転）により押し進め搬送されてくる正規のメダル（Ｃ）を、そのメダル変向誘導ピン（３２）に一旦受け止めて、上記メダル送出口（２７）へ変向誘導する一方、上記咬み込んだメダル（Ｃ）を同じく回転ディスク（Ｒ）の逆回転と相俟って、そのメダル乗り越え誘導片（３１）により円滑に取り込めるようになっている。
【００４０】
先に一言したメダル搬送用穴明き回転ディスク（Ｒ）は図４〜７から明白なように、モーター出力軸（１８）への取付ボス（３４）だけでなく、その周辺部に全体的な放射対称分布型として開口する複数のメダル取り込み穴（３５）と、そのメダル取り込み穴（３５）の隣り合う相互間から裏向きに突出する複数の円弧弯曲羽根（３６）も具備しており、そのメダル取り込み穴（３５）へ取り込んだメダル（Ｃ）の１枚づつを円弧弯曲羽根（３６）によって押し進め、上記メダル変向誘導ピン（３２）を介してメダル送出口（２７）へ搬送する。
【００４１】
尚、図示省略してあるが、上記円弧弯曲羽根（３６）にはメダル変向誘導ピン（３２）とメダル乗り越え誘導片（３１）の逃がし凹溝が切り欠かれており、これらと干渉しないようになっていることは言うまでもない。
【００４２】
（Ｈ）はメダル（Ｃ）を収容するホッパータンクであって、望ましくは図８、９のような透明の合成樹脂からメダル（Ｃ）が自づと落下する基本的な漏斗形に成形されており、その底部に上記穴明き回転ディスク（Ｒ）の包囲口筒（３７）を備えている。
【００４３】
そして、そのホッパータンク（Ｈ）の回転ディスク用包囲口筒（３７）から一体的に張り出す径大なベースフランジ（３８）が上記据付け台（Ｆ）のトップ面（１０）へ、その何れか一方に植え立てられた複数の係止ピン（３９）と、残る他方に開口形成されたキー穴（４０）を介して、着脱自在に取り付けられている。（４１）はそのホッパータンク（Ｈ）への取付状態を固定維持するための圧縮コイルバネであり、上記係止ピン（３９）に各々巻き付けられている。
【００４４】
そのため、ホッパータンク（Ｈ）における回転ディスク用包囲口筒（３７）の張り出しベースフランジ（３８）も、上記据付け台（Ｆ）のトップ面（１０）と同じ傾斜設置状態にあるが、これには後上向きの窓口（４２）が倒立Ｕ字形に切り欠かれており、上記メダルガイド板（２０）やセパレートローラー（２４）と干渉しないようになっている。
【００４５】
（Ｐ１）は上記ホッパー型メダル送出装置のメダル送出口（２７）へ連通接続されるメダル搬送路であって、細長い帯板状の表ガイドレール（４３）と裏ガイドレール（４４）とから成り、その何れか一方又は双方が図１２、１３のような断面チャンネル溝形をなすことによって、その向かい合う相互間にメダル通行トンネル（４５）を区画している。（４６）は表ガイドレール（４３）と裏ガイドレール（４４）との組付け固定ビスであり、その多数が両サイド部に点在分布している。
【００４６】
但し、上記表ガイドレール（４３）又は／及び裏ガイドレール（４４）を断面チャンネル溝形として造形する代りに、図１２、１３と対応する図１４の変形実施形態に示す如く、その表ガイドレール（４３）と裏ガイドレール（４４）との向かい合う相互間へ、別個な左右一対のサイドスペーサー（４７）を介挿することにより、メダル通行トンネル（４５）を区画形成しても良い。
【００４７】
又、図１５の別な変形実施形態から明白なように、言わば上記表ガイドレール（４３）が裏ガイドレール（４４）の張り出しリップ（４８）となる断面チャンネル溝形ガイドレール（４９）の一体物として、その表向き開放するメダル通行トンネル（４５）を画定してもさしつかえなく、この場合にはガイドレール（４９）の長手中心線上からメダル通行トンネル（４５）へ隆起する凸条（５０）を列設することが好ましい。
【００４８】
尚、上記表ガイドレール（４３）、裏ガイドレール（４４）、サイドスペーサー（４７）並びにガイドレール（４９）の材質としては、ステンレス鋼板やアルミ合金などの金属材のみならず、これと同等の高強度なポリカーボネート樹脂やポリアセタール樹脂（商品名：ジュラコン）、繊維強化樹脂（ＦＲＰ）などの各種合成樹脂材を採用することができる。
【００４９】
このようなメダル搬送路（Ｐ１）を形作る裏ガイドレール（４４）の基端部には、上記据付け台（Ｆ）におけるトップ面（１０）のメダル搬送路用受け入れ凹欠（１９）と対応合致する大きさ・形状の差込み舌片（５１）が張り出し形成されているほか、その差込み舌片（５１）の両サイド部から上記トップ面（１０）の裏面と面接触する一対の取付座片（５２）も連続的に曲げ出されている。
【００５０】
そして、その裏ガイドレール（４４）の差込み舌片（５１）を上記トップ面（１０）のメダル搬送路用受け入れ凹欠（１９）へ、後上方から差し込むと共に、その左右一対の取付座片（５２）を表ガイドレール（４３）と一括して上記トップ面（１０）へ、複数の固定ビス（５３）により取り付け一体化するようになっている。
【００５１】
そうすれば、メダル搬送路（Ｐ１）の裏ガイドレール（４４）と据付け台（Ｆ）のトップ面（１０）とは面一状態に整合し、その裏ガイドレール（４４）と表ガイドレール（４３）との向かい合う相互間に区画されたメダル通行トンネル（４５）の導入口（４５ａ）が、上記ホッパー型メダル送出装置のメダル送出口（２７）と直通する接続状態に固定維持される結果となる。尚、上記メダル搬送路（Ｐ１）の表ガイドレール（４３）には多数のメダル用透視穴（図示省略）を開口分布させたり、同じく裏ガイドレール（４４）に異物の排除用開閉扉（図示省略）を枢着したりしても良い。
【００５２】
ホッパー型メダル送出装置における据付け台（Ｆ）のトップ面（１０）は既述のとおり、一定角度（γ）（先に例示の約３０度）だけ横上がりの傾斜状態にあると同時に、一定角度（α）（先に例示の約３０度）だけ後上がりの傾斜状態にあるため、そのトップ面（１０）へ差し込み接続されることにより、上記メダル送出口（２７）と連通するメダル搬送路（Ｐ１）も、これと同じ２次元での複雑な傾斜設置状態になる。
【００５３】
そして、このようなメダル搬送路（Ｐ１）がそのメダル通行トンネル（４５）の導入口（４５ａ）から、メダル（Ｃ）を一旦垂直の真上方向へ押し上げ搬送するために、一定角度（β１）（例えば約１２０度）だけ円弧状に屈曲する屈曲部（５４）に限っては、図１０、１１や図１６、１７のような長手中心線（Ｏ−Ｏ）の支点廻りに回転する如く捻り形成されているのである。
【００５４】
この点、図１０、１６ではメダル搬送路（Ｐ１）の屈曲部（５４）が、その一定角度（γ）（先に例示した約３０度）の横上がり傾斜状態にあるメダル通行トンネル（４５）の導入口（４５ａ）から、左右方向に沿って延在する横長の開口状態となる導出口（４５ｂ）までの一定角度（θ）（例えば約３０度）だけ捻られた形態を示している。
【００５５】
又、別な図１１、１７ではやはりメダル搬送路（Ｐ１）の屈曲部（５４）が、同じ一定角度（γ）（約３０度）の横上がり傾斜状態にあるメダル通行トンネル（４５）の導入口（４５ａ）から、前後方向に沿って延在する縦長の開口状態となる導出口（４５ｂ）までの一定角度（θ）（例えば約６０度）だけ捻られた形態を示しているが、茲にメダル通行トンネル（４５）の導出口（４５ｂ）は図１６、１７のような平面から見て、上記横長の開口状態と縦長の開口状態のみならず、斜め方向に沿って延在する開口状態となることもあり得る。
【００５６】
何れにしても、メダル搬送路（Ｐ１）はメダル（Ｃ）の上流側（下側）と下流側（上側）との異なる平面にある上記屈曲部（５４）において、その長手中心線（Ｏ−Ｏ）の廻りに一定角度（θ）だけ捻り形成されているため、メダル（Ｃ）がそのトンネル（４５）を通行中、部分的に重なる瓦の如く、一方の潜り込みと他方の乗り上げを生じるおそれはなく、その導入口（４５ａ）から導出口（４５ｂ）まで順次円滑に押し上げ搬送されるメダル（Ｃ）のエスカレーターを形作ることとなる。
【００５７】
その場合、本発明のホッパー型メダル送出装置では既述のとおり、その据付け台（Ｆ）のトップ面（１０）が一定角度（α）の後上がり傾斜状態にあるのみならず、一定角度（γ）の横上がり傾斜状態にもあって、２次元での傾斜面をなすように設置されているため、そのメダル搬送路（Ｐ１）を図１６と図１７のように、常時９０度未満として残る小さな一定角度（θ）だけ捻り形成すれば足り、その捻り形成により上記メダル通行トンネル（４５）の導出口（４５ｂ）を横長の開口状態、縦長の開口状態又は斜めの開口状態として、希望の方角に変化させることができる。
【００５８】
これを換言すれば、メダル通行トンネル（４５）の導出口（４５ｂ）を本機（Ｍ）との関係上、その横長の開口状態、縦長の開口状態又は斜めの開口状態として、何れの方角に保つ場合でも、上記長手中心線（Ｏ−Ｏ）の支点廻りに９０度未満の小角度だけ捻り形成すれば良いのである。
【００５９】
しかも、そのメダル搬送路（Ｐ１）の長手中心線（Ｏ−Ｏ）を回転支点とする捻り角度（θ）は、先に例示した約３０度や約６０度などという９０度未満の小角度であるため、このようなメダル搬送路（Ｐ１）を容易に製作・加工することができるほか、メダル（Ｃ）の搬送作用も著しく円滑に営なまれることとなり、メダル通行トンネル（４５）内での目詰まりや咬み込みを生じるおそれがない。
【００６０】
そして、図２１、２２から明白なように、上記メダル搬送路（Ｐ１）を形作る裏ガイドレール（４４）の先端部は接続舌片（５５）として、その表ガイドレール（４３）よりも長く張り出し垂立されており、ここへ上方から延長メダル搬送路（Ｐ２）の基端部が差し込み接続されるようになっている。
【００６１】
つまり、延長メダル搬送路（Ｐ２）も上記メダル搬送路（Ｐ１）と同じ構成部材から組み付け固定されているが、その基端部では裏ガイドレール（４４）が表ガイドレール（４３）よりも逆に短く退避しており、しかも別個な裏カバー片（５６）の付属一体化によって、差込みスリット（５７）が区画形成されている。
【００６２】
そのため、その延長メダル搬送路（Ｐ２）の差込みスリット（５７）を上記メダル搬送路（Ｐ１）の接続舌片（５５）へ、上方から差し込んだ上、複数の固定ビス（５８）によって接続固定することができ、このような継ぎ足しを繰り返せば、遊技機やメダル貸出し機、両替機、その他の各種本機（Ｍ）に開口するメダル出口（５９）まで、メダル（Ｃ）を押し進め搬送することができる。
【００６３】
その場合、図１０、１６のメダル搬送路（Ｐ１）は一定角度（θ）の捻り形成により、そのメダル通行トンネル（４５）の導出口（４５ｂ）が平面から見て、左右方向へ延在する横長の開口状態にあるため、ここへ図２３のような途中が同一平面での任意角度（β２）だけ屈曲する屈曲部（６０）を備えた延長メダル搬送路（Ｐ２）を連通接続することにより、そのホッパー型メダル送出装置を基準として、図２３の実線で示すような左方向へ又は同図の鎖線で示すような右方向へ、メダル（Ｃ）を搬送できることになる。
【００６４】
他方、図１１、１７のメダル搬送路（Ｐ１）は上記据付け台（Ｆ）における同じ２次元での傾斜面をなすトップ面（１０）から、図１０、１６と異なる方向への一定角度（θ）だけ捻り形成されており、そのメダル通行トンネル（４５）の導出口（４５ｂ）が平面から見て、前後方向へ延在する縦長の開口状態にあるため、ここへ図２４のような途中が同一平面での任意角度（β２）だけ屈曲する屈曲部（６０）を備えた延長メダル搬送路（Ｐ２）を連通接続することにより、そのホッパー型メダル送出装置を基準として、別な図２４の実線で示すように前方へ又は同図の鎖線で示すように後方へ、メダル（Ｃ）を搬送することができる。
【００６５】
その結果、上記延長メダル搬送路（Ｐ２）の継ぎ足し個数やその屈曲部（６０）における任意角度（β２）の選定とも相俟って、上記本機（Ｍ）のメダル出口（５９）を希望する位置と方向性に開口させることが容易となる。
【００６６】
尚、最も末端に位置することとなる延長メダル搬送路（Ｐ２）の先端部には、その本機（Ｍ）のメダル出口（５９）から送り出すメダル（Ｃ）のカウンターが付属設置されており、これによってメダル（Ｃ）の送り出し枚数をカウントするようになっているが、そのカウンターは図示省略してある。
【図面の簡単な説明】
【００６７】
【図１】本発明に係るホッパー型メダル送出装置の据付け台を示す正面図である。
【図２】図１の右側面図である。
【図３】図１の据付け台にメダル搬送路を接続した状態の平面図である。
【図４】穴明き回転ディスクを抽出して示す平面図である。
【図５】図４の底面図である。
【図６】図４の正面図である。
【図７】図６の７−７線断面図である。
【図８】ホッパータンクを抽出して示す正面図である。
【図９】図８の底面図である。
【図１０】メダル搬送路の捻り状態を示す側面図である。
【図１１】メダル搬送路の図１０と異なる捻り状態を示す正面図である。
【図１２】メダル搬送路の断面図である。
【図１３】メダル搬送路の変形実施形態を示す断面図である。
【図１４】メダル搬送路の別な変形実施形態を示す断面図である。
【図１５】メダル搬送路の更に別な変形実施形態を示す断面図である。
【図１６】図１０と対応する捻り状態の平面図である。
【図１７】図１１と対応する捻り状態の平面図である。
【図１８】メダルの捻り搬送作用を示す説明図である。
【図１９】図１８の１９−１９線に沿う矢視説明図である。
【図２０】図１８の２０−２０線に沿う矢視説明図である。
【図２１】メダル搬送路と延長メダル搬送路との接続過程を示す側断面図である。
【図２２】メダル搬送路と延長メダル搬送路の接続状態を示す側断面図である。
【図２３】メダルの送り出し方向を示す説明図である。
【図２４】メダルの別な送り出し方向を示す説明図である。
【図２５】従来のホッパー型メダル送出装置を示す側面図である。
【図２６】図２５の正面図である。
【符号の説明】
【００６８】
（１０）・トップ面
（１１）（１２）・スタンド
（１３）・固定ビス
（１４）・ディスタンスバー
（１５）・駆動モーター
（１６）・取付フランジ
（１７）・皿ビス
（１８）・モーター出力軸
（１９）・メダル搬送路用受け入れ凹欠
（２０）・メダルガイド板
（２１）・セパレートアーム
（２２）・固定ビス
（２３）・支点軸
（２４）・セパレートローラー
（２５）・揺動ガイド長穴
（２６）・被検知片
（２７）・メダル送出口
（２８）・引張りコイルバネ
（２９）・検知センサー
（３０）・板バネ
（３１）・メダル乗り越え誘導片
（３２）・メダル変向誘導ピン
（３３）・出没穴
（３４）・取付ボス
（３５）・メダル取り込み穴
（３６）・円弧弯曲羽根
（３７）・回転ディスク用包囲口筒
（３８）・ベースフランジ
（３９）・係止ピン
（４０）・キー穴
（４１）・圧縮コイルバネ
（４２）・窓口
（４３）・表ガイドレール
（４４）・裏ガイドレール
（４５）・メダル通行トンネル
（４５ａ）・導入口
（４５ｂ）・導出口
（４６）・組付け固定ビス
（４７）・サイドスペーサー
（４８）・リップ
（４９）・ガイドレール
（５０）・凸条
（５１）・差込み舌片
（５２）・取付座片
（５３）・固定ビス
（５４）・屈曲部
（５５）・接続舌片
（５６）・裏カバー片
（５７）・差込みスリット
（５８）・固定ビス
（５９）・メダル出口
（６０）・屈曲部
（Ｃ）・メダル
（Ｆ）・据付け台
（Ｈ）・ホッパータンク
（Ｍ）・本機
（Ｐ１）・メダル搬送路
（Ｐ２）・延長メダル搬送路
（Ｒ）・穴明き回転ディスク
（θ）・捻り角度
（α）（γ）・傾斜角度
（β１）（β２）・屈曲角度
（Ｏ−Ｏ）・長手中心線
【図１】
0005081566.tif 000002
【図２】
0005081566.tif 000003
【図３】
0005081566.tif 000004
【図４】
0005081566.tif 000005
【図５】
0005081566.tif 000006
【図６】
0005081566.tif 000007
【図７】
0005081566.tif 000008
【図８】
0005081566.tif 000009
【図９】
0005081566.tif 000010
【図１０】
0005081566.tif 000011
【図１１】
0005081566.tif 000012
【図１２】
0005081566.tif 000013
【図１３】
0005081566.tif 000014
【図１４】
0005081566.tif 000015
【図１５】
0005081566.tif 000016
【図１６】
0005081566.tif 000017
【図１７】
0005081566.tif 000018
【図１８】
0005081566.tif 000019
【図１９】
0005081566.tif 000020
【図２０】
0005081566.tif 000021
【図２１】
0005081566.tif 000022
【図２２】
0005081566.tif 000023
【図２３】
0005081566.tif 000024
【図２４】
0005081566.tif 000025
【図２５】
0005081566.tif 000026
【図２６】
0005081566.tif 000027